(57)【要約】【課題】  印刷精度を向上させると共に、めっき層の剥離を防止することが可能なスクリーン版を提供すること。【解決手段】  スクリーン版１は、版枠１０と、樹脂製の支持用スクリーンメッシュ２０と、金属製の印刷用スクリーンメッシュ３０とを備える。支持用スクリーンメッシュ２０は、その外縁が全周にわたって版枠１０に固定されている。支持用スクリーンメッシュ２０には、開口２２が形成されている。印刷用スクリーンメッシュ３０は、支持用スクリーンメッシュ２０の開口２２を覆うように、その外縁が全周にわたって支持用スクリーンメッシュ２０に固定されている。支持用スクリーンメッシュ２０と印刷用スクリーンメッシュ３０とは接着により固定されている。印刷用スクリーンメッシュ３０には、支持用スクリーンメッシュ２０に接着される領域３２を除く領域全体にめっき層が形成されている。【選択図】  図１
2005254750.tif 000002
【特許請求の範囲】
【請求項１】
版枠と、
外縁が前記版枠に固定される樹脂製の支持用スクリーンメッシュと、
外縁が前記支持用スクリーンメッシュに固定される金属製の印刷用スクリーンメッシュと、を備え、
前記支持用スクリーンメッシュと前記印刷用スクリーンメッシュとは接着により固定されており、
前記印刷用スクリーンメッシュには、前記支持用スクリーンメッシュに接着される領域を除く領域全体にめっき層が形成されていることを特徴とするスクリーン版。
【請求項２】
前記めっき層は、ニッケルを含むことを特徴とする請求項１に記載のスクリーン版。
【発明の詳細な説明】
【技術分野】
【０００１】
本発明は、スクリーン版に関する。
【背景技術】
【０００２】
スクリーン印刷に用いられるスクリーン版として、支持用スクリーンメッシュと、印刷用スクリーンメッシュとを組み合わせたコンビネーション張りスクリーン版が知られている（例えば、特許文献１参照）。この種のスクリーン版では、支持用スクリーンメッシュは、張力が付与された状態で、周辺部が版枠に固定されている。支持用スクリーンメッシュには、開口が形成されている。印刷用スクリーンメッシュは、支持用スクリーンメッシュの一面側において支持用スクリーンメッシュの上記開口を覆うように開口の周縁に接着されている。印刷用スクリーンメッシュには、支持用スクリーンメッシュを介して張力が付与されている。
【０００３】
特許文献１に開示されたスクリーン版では、印刷用スクリーンメッシュの印刷パターンを形成する領域にめっき層を形成し、その外周部にはめっき層を形成していない。これにより、印刷パターンを形成する領域の変形が少なくなり、その周辺部分の撓み性が高くなっている。
【特許文献１】特開２０００−１７７０９９号公報
【発明の開示】
【発明が解決しようとする課題】
【０００４】
しかしながら、上述した特許文献１に記載されたスクリーン版では、印刷用スクリーンメッシュにおける支持用スクリーンメッシュに接着される領域とめっき層を形成した領域との間に、めっき層を形成しない領域が存在しているために、次のような問題があった。すなわち、印刷用スクリーンメッシュをスキージで押圧した場合、めっき層を形成しない領域が撓んでしまうため、めっき層を形成した領域、すなわち印刷用スクリーンメッシュに形成された印刷パターンが印刷毎に位置ズレを起こしてしまい、印刷精度が低下する懼れがある。また、スキージがめっき層を形成した領域とめっき層を形成しない領域との境界を通過するために、めっき層の端部とスキージとか接触し、めっき層が剥離する懼れもある。
【０００５】
本発明の目的は、印刷精度を向上させると共に、めっき層の剥離を防止することが可能なスクリーン版を提供することにある。
【課題を解決するための手段】
【０００６】
本発明に係るスクリーン版は、版枠と、外縁が版枠に固定される樹脂製の支持用スクリーンメッシュと、外縁が支持用スクリーンメッシュに固定される金属製の印刷用スクリーンメッシュと、を備え、支持用スクリーンメッシュと印刷用スクリーンメッシュとは接着により固定されており、印刷用スクリーンメッシュには、支持用スクリーンメッシュに接着される領域を除く領域全体にめっき層が形成されていることを特徴とする。
【０００７】
本発明に係るスクリーン版では、支持用スクリーンメッシュに接着される領域を除く領域全体にめっき層が形成されているので、スキージで押圧した場合でも、印刷用スクリーンメッシュ全体の位置が安定し、印刷用スクリーンメッシュ上の印刷パターンが位置ズレを起こすようなことはない。この結果、印刷精度が向上される。
【０００８】
また、スキージが通過する位置には、めっき層の端部が存在しないため、めっき層の端部とスキージとが接触することはない。これにより、めっき層が剥離するのを防ぐことができる。
【０００９】
ところで、印刷用スクリーンメッシュにおける支持用スクリーンメッシュに接着される領域にめっき層を形成した場合、当該領域の強度がめっき層により高くなり、柔軟性が失われてしまう。これにより、各スクリーンメッシュの端部、すなわち接着領域が波打ってしまい、スクリーンメッシュが接着剤から露出したり、接着剤から剥がれたりする。この結果、接着強度が低下する懼れがある。しかしながら、本発明では、印刷用スクリーンメッシュにおける支持用スクリーンメッシュに接着される領域にはめっき層が形成されておらず、接着強度が低下するようなことはない。
【００１０】
また、めっき層は、ニッケルを含むことが好ましい。
【発明の効果】
【００１１】
本発明によれば、印刷精度を向上させると共に、めっき層の剥離を防止することが可能なスクリーン版を提供することができる。
【発明を実施するための最良の形態】
【００１２】
以下、添付図面を参照して、本発明に係るスクリーン版の好適な実施形態について詳細に説明する。なお、説明において、同一要素又は同一機能を有する要素には、同一符号を用いることとし、重複する説明は省略する。
【００１３】
図１は、本実施形態に係るスクリーン版を示す概略平面図である。図２は、図１におけるII−II方向の断面構成を示す模式図である。
【００１４】
スクリーン版１は、版枠１０と、支持用スクリーンメッシュ２０と、印刷用スクリーンメッシュ３０とを備える。スクリーン版１は、例えば、積層型チップコンデンサの製造工程においてグリーンシートに電極パターンを印刷するために用いられる。
【００１５】
版枠１０は、Ｘ軸方向でみて互いに対向する２辺、及びＹ軸方向でみて互いに対向する２辺を備えた枠体である。版枠１０は、例えば、アルミニウムまたは軽合金等の軽量金属材料により構成することができる。
【００１６】
支持用スクリーンメッシュ２０はシート状であり、その形状が矩形となっている。支持用スクリーンメッシュ２０のほぼ中央には、矩形形状を呈した開口２２が形成されている。支持用スクリーンメッシュ２０は、所定の張力が付与された状態で、その外縁が全周にわたって版枠１０に固定されている。支持用スクリーンメッシュ２０の版枠１０への固定は、例えば、エポキシ樹脂等の接着剤４０を用いて、支持用スクリーンメッシュ２０と版枠１０とを接着することにより実現できる。支持用スクリーンメッシュ２０は、その内縁に、印刷用スクリーンメッシュ３０に接着される領域２４を含んでいる。
【００１７】
支持用スクリーンメッシュ２０は合成樹脂材料により構成することができる。例えば、支持用スクリーンメッシュ２０は、ポリエステル等の合成樹脂繊維を縦糸及び横糸として織られたメッシュ（網）であり、例えば２５０メッシュ（＃２５０）程度のものである。支持用スクリーンメッシュ２０は、織布または不織布の何れであってもよい。
【００１８】
印刷用スクリーンメッシュ３０はシート状であり、その形状が矩形となっている。印刷用スクリーンメッシュ３０は、その外縁に、支持用スクリーンメッシュ２０に接着される領域３２を含んでいる。印刷用スクリーンメッシュ３０は、支持用スクリーンメッシュ２０の開口２２を覆うように、その外縁（支持用スクリーンメッシュ２０に接着される領域３２）が全周にわたって支持用スクリーンメッシュ２０に固定されている。印刷用スクリーンメッシュ３０には、支持用スクリーンメッシュ２０を通して所定の張力が付与されている。
【００１９】
印刷用スクリーンメッシュ３０の支持用スクリーンメッシュ２０への固定は、例えば、エポキシ樹脂等の接着剤５０を用いて、印刷用スクリーンメッシュ３０と支持用スクリーンメッシュ２０とを接着することにより実現できる。接着に当っては、例えば、支持用スクリーンメッシュ２０と印刷用スクリーンメッシュ３０とが接着される領域に支持用スクリーンメッシュ２０上から接着剤５０を塗布する。そして、この接着剤５０を、重ね合わされた支持用スクリーンメッシュ２０及び印刷用スクリーンメッシュ３０の間に浸透させ、接着剤５０を硬化させればよい。
【００２０】
印刷用スクリーンメッシュ３０は、金属材料により構成されている。例えば、印刷用スクリーンメッシュ３０は、ステンレス鋼等の金属でなる細線を縦糸及び横糸として織られたメッシュであり、例えば４００〜５００メッシュ（＃４００〜＃５００）程度のものである。印刷用スクリーンメッシュ３０は、織布または不織布の何れであってもよい。
【００２１】
印刷用スクリーンメッシュ３０は、支持用スクリーンメッシュ２０に接着される領域３２の内側に、パターン形成領域３４を含んでいる。このパターン形成領域３４には、メッシュの開口が乳剤等の目止め剤で塞がれた部分と塞がれていない部分とによって、所定の印刷パターンが形成されている。
【００２２】
印刷用スクリーンメッシュ３０には、図３に示されるように、支持用スクリーンメッシュ２０に接着される領域３２を除く領域全体にめっき層３６が形成されている。すなわち、印刷用スクリーンメッシュ３０は、めっき層３６が形成されていない領域で支持用スクリーンメッシュ２０に接着している。もちろん、パターン形成領域３４にも、めっき層３６が形成されている。
【００２３】
めっき層３６の材料としては、ニッケル（Ｎｉ）が好ましい。めっき層３６の厚みは、例えば２μｍ程度に設定することができる。めっき層３６の材料としては、Ｎｉが好ましいが、このＮｉ以外にも、Ｃｒ、Ｃｏ、Ｎｉ−Ｃｏ、Ｎｉ−Ｃｒ、Ｎｉ−Ｐ、Ｎｉ−Ｂ、Ｎｉ−Ｗ−Ｐ等の金属材料を用いることができる。
【００２４】
以上のように、本実施形態によれば、印刷用スクリーンメッシュ３０には、支持用スクリーンメッシュ２０に接着される領域３２を除く領域全体にめっき層３６が形成されているので、スキージで押圧した場合でも、印刷用スクリーンメッシュ３０全体の位置が安定し、印刷用スクリーンメッシュ３０のパターン形成領域３４（印刷パターン）が位置ズレを起こすようなことはない。この結果、印刷精度が向上される。
【００２５】
また、スキージが通過する位置には、めっき層３６の端部が存在しないため、めっき層３６の端部とスキージとが接触することはない。これにより、めっき層３６が剥離するのを防ぐことができる。
【００２６】
ところで、印刷用スクリーンメッシュ３０における支持用スクリーンメッシュ２０に接着される領域３２にめっき層３６を形成した場合、当該領域の強度がめっき層３６により高くなり、柔軟性が失われてしまう。これにより、各スクリーンメッシュの端部、すなわち接着領域が波打ってしまい、スクリーンメッシュが接着剤４０から露出したり、接着剤４０から剥がれたりする。この結果、支持用スクリーンメッシュ２０と印刷用スクリーンメッシュ３０との接着強度が低下する懼れがある。しかしながら、本実施形態では、印刷用スクリーンメッシュ３０における支持用スクリーンメッシュ２０に接着される領域３２にはめっき層３６が形成されておらず、接着強度が低下するようなことはない。
【００２７】
以上、本発明者らによってなされた発明を実施形態に基づき具体的に説明したが、本発明は上記実施形態に限定されるものではない。例えば、版枠１０、支持用スクリーンメッシュ２０、印刷用スクリーンメッシュ３０、開口２２等の形状も上述した実施形態に限られるものではない。
【００２８】
また、本実施形態では、スクリーン版１は、積層型チップコンデンサの製造工程においてグリーンシートに電極パターンを印刷するためのものであったが、本発明に係るスクリーン版は、他の電子部品の電極印刷を始めとして、様々なスクリーン版に適用可能である。
【図面の簡単な説明】
【００２９】
【図１】本実施形態に係るスクリーン版を示す概略平面図である。
【図２】図１におけるII−II方向の断面構成を示す模式図である。
【図３】本実施形態に係るスクリーン版に含まれる印刷用スクリーンメッシュ３０の断面構成を説明するための模式図である。
【符号の説明】
【００３０】
１…スクリーン版、１０…版枠、２０…支持用スクリーンメッシュ、２２…開口、２４…印刷用スクリーンメッシュに接着される領域、３０…印刷用スクリーンメッシュ、３２…支持用スクリーンメッシュに接着される領域、３４…パターン形成領域、３６…めっき層、４０…接着剤、５０…接着剤。
【図１】
2005254750.tif 000003
【図２】
2005254750.tif 000004
【図３】
2005254750.tif 000005